(57)【要約】【課題】ハンドル切り返し状態を推定可能にして、適切な操舵性能を得ると共に、ステアリング軸反力トルクの微分値を正しく演算することで正確な路面反力トルク推定値を得る。【解決手段】車両用操舵制御装置において、ステアリング軸に生じるステアリング軸反力トルクを検出するステアリング軸反力トルク検出器１４、および操舵操作がハンドル切り返し状態であることを推定する第１の操舵状態検出手段１７を備え、第１の操舵状態検出手段１７は、あらかじめ定めた所定の値を操舵機構が持つ摩擦トルクに応じた値としてあらかじめ記憶する摩擦トルク信号器２４と、ステアリング軸反力トルクと路面反力トルクの差の絶対値を、摩擦トルクに応じた値と比較する第１の操舵状態演算手段２７を具備し、第１の操舵状態演算手段２７の出力に基づいて操舵操作がハンドル切り返し状態であることを推定するようにしたもの。【選択図】図４
2007161099.tif 000002
【特許請求の範囲】
【請求項１】
運転者により操舵されるハンドルと、このハンドルに連結されたステアリング軸と、こ
のステアリング軸に結合され運転者による操舵トルクを補助するアシストトルクを発生す
るアシストモータを有する操舵機構を備えた車両用操舵制御装置であって、
操舵機構が車両の運転者から受けている操舵操作にともなって車輪に生じる路面反力トル
クを検出する路面反力トルク検出器、前記操舵操作にともなってステアリング軸に生じる
ステアリング軸反力トルクを検出するステアリング軸反力トルク検出器、および前記操舵
操作がハンドル切り返し状態であることを推定する第１の操舵状態検出手段を備え、前記
第１の操舵状態検出手段は、あらかじめ定めた所定の値を前記操舵機構が持つ摩擦トルク
に応じた値としてあらかじめ記憶する摩擦トルク信号器と、前記ステアリング軸反力トル
クと前記路面反力トルクの差の絶対値を、前記摩擦トルクに応じた値と比較する第１の操
舵状態演算手段を具備し、前記第１の操舵状態演算手段の出力に基づいて操舵操作がハン
ドル切り返し状態であることを推定することを特徴とする車両用操舵制御装置。
【請求項２】
前記第１の操舵状態検出手段は、特定周波数成分除去手段を備え、前記ステアリング軸
反力トルクと前記路面反力トルクの差から、前記特定周波数成分除去手段により特定周波
数成分を除去した値の絶対値を、前記摩擦トルクと比較するようにしたことを特徴とする
請求項１に記載の車両用操舵制御装置。
【請求項３】
車速を検出する車速検出器を備え、前記摩擦トルク信号器の出力する値を車両の車速に
応じて変化させることを特徴とする請求項１または請求項２に記載の車両用操舵制御装置。
【請求項４】
前記第１の操舵状態検出手段の出力に基づき、前記アシストモータの出力を変化させる
補償器を備えたこと特徴とする請求項１〜請求項３のいずれかに記載の車両用操舵制御装
置。
【請求項５】
運転者により操舵されるハンドルと、このハンドルに連結されたステアリング軸と、こ
のステアリング軸に結合され運転者による操舵トルクを補助するアシストトルクを発生す
るアシストモータを有する操舵機構を備えた車両用操舵制御装置であって、
操舵機構が車両の運転者から受けている操舵操作にともなってステアリング軸に生じるス
テアリング軸反力トルクを検出するステアリング軸反力トルク検出器、および前記操舵操
作がハンドル切り返し状態であることを推定する第２の操舵状態検出手段を備え、前記第
２の操舵状態検出手段は、前記ステリング軸反力トルク検出器の出力の微分値を演算する
微分演算器と、あらかじめ定めた所定の値を前記微分演算器の上限値としてあらかじめ記
憶する微分閾値信号器、および前記微分演算器の出力の絶対値と前記微分閾値信号器の出
力とを比較する第２の操舵状態演算手段を具備し、前記第２の操舵状態演算手段の出力に
基づいて操舵操作がハンドル切り返し状態であることを推定することを特徴とする車両用
操舵制御装置。
【請求項６】
前記第2の操舵状態検出手段は、前記ステアリング軸反力トルクから特定周波数成分を
除去する特定周波数成分除去手段を備え、前記微分演算器は、前記特定周波数成分除去手
段により、ステアリング軸反力トルクから特定周波数成分を除去した値に対して微分値を
演算するようにしたことを特徴とする請求項５に記載の車両用操舵制御装置
【請求項７】
車速を検出する車速検出器を備え、前記微分閾値信号器の出力する値を前記車両の車速
に応じて変化させることを特徴とする請求項５または請求項６に記載の車両用操舵制御装
置。
【請求項８】
前記第２の操舵状態検出手段の出力にもとづき、前記アシストモータの出力を変化させ
る補償器を備えたことを特徴とする請求項５〜請求項７のいずれかに記載の車両用操舵制
御装置。
【請求項９】
運転者により操舵されるハンドルと、このハンドルに連結されたステアリング軸と、こ
のステアリング軸に結合され運転者による操舵トルクを補助するアシストトルクを発生す
るアシストモータを有する操舵機構を備えた車両用操舵制御装置であって、
路面反力トルクに基づいて前記ステアリング軸に作用するステアリング軸反力トルクに
応じたステアリング軸反力トルク信号を発生する信号出力手段と、
前記路面反力トルクの推定値を演算する路面反力トルク演算手段と、
あらかじめ定めた所定の値を前記操舵機構が持つ摩擦トルクに応じた値としてあらかじ
め記憶する摩擦トルク信号器、及び前記ステアリング軸反力トルクと前記路面反力トルク
演算手段の演算値との差の絶対値を、前記摩擦トルクに応じた値と比較する第１の操舵状
態演算手段を有し、該第１の操舵状態演算手段の出力に基づいて操舵操作がハンドル切り
返し状態であることを推定する第１の操舵状態検出手段とを備え、前記路面反力トルク演
算手段は、前記信号出力手段の出力の微分値を演算する微分演算器と、前記操舵機構の摩
擦トルクに相当する摩擦トルク信号を出力する摩擦トルク信号器と、前記信号出力手段か
らのステアリング軸反力トルク信号をフィルタして路面反力トルクの推定値として出力す
るローパスフィルタ手段と、このローパスフィルタ手段の時定数を演算する時定数演算手
段とを有し、前記時定数演算手段が、前記微分演算器の微分出力と、前記摩擦トルク信号
器の摩擦トルク信号と、前記第１の操舵状態検出手段の出力とに基づき、前記時定数を演
算することを特徴とする車両用操舵制御装置。
【請求項１０】
車速を検出する車速検出器を備え、前記路面反力トルク演算手段の前記摩擦トルク信号
器の出力する値を、車両の車速に応じて変化させることを特徴とする請求項９に記載の車
両用操舵制御装置。
【請求項１１】
運転者により操舵されるハンドルと、このハンドルに連結されたステアリング軸と、この
ステアリング軸に結合され運転者による操舵トルクを補助するアシストトルクを発生する
アシストモータを有する操舵機構を備えた車両用操舵制御装置であって、
路面反力トルクに基づいて前記ステアリング軸に作用するステアリング軸反力トルクに応じたステアリング軸反力トルク信号を発生する信号出力手段と、
前記路面反力トルクの推定値を演算する路面反力トルク演算手段と、
前記信号出力手段の出力の微分値を演算する微分演算器と、あらかじめ定めた所定の値
を前記微分演算器の上限値としてあらかじめ記憶する微分閾値信号器、および前記微分演
算器の出力の絶対値と前記微分閾値信号器の出力とを比較する第２の操舵状態演算手段を
有し、該第２の操舵状態演算手段の出力に基づいて操舵操作がハンドル切り返し状態であ
ることを推定する第２の操舵状態検出手段とを備え、前記路面反力トルク演算手段は、前
記信号出力手段の出力信号の微分値を演算する微分演算器と、前記操舵機構の摩擦トルク
に相当する摩擦トルク信号を出力する摩擦トルク信号器と、前記信号出力手段からのステ
アリング軸反力トルク信号をフィルタして路面反力トルクの推定値として出力するローパ
スフィルタ手段と、このローパスフィルタ手段の時定数を演算する時定数演算手段とを有
し、前記時定数演算手段が、前記微分演算器の微分出力と、前記摩擦トルク信号器の摩擦
トルク信号と、前記第２の操舵状態検出手段の出力とに基づき、前記時定数を演算するこ
とを特徴とする車両用操舵制御装置。
【請求項１２】
車速を検出する車速検出器を備え、前記路面反力トルク演算手段の前記摩擦トルク信号
器の出力する値を、車両の車速に応じて変化させることを特徴とする請求項１１に記載の
車両用操舵制御装置。
【発明の詳細な説明】
【技術分野】
【０００１】
この発明は、自動車等に搭載された電動パワーステアリング装置などの車両用操舵制御装置に関し、特に、運転者がハンドルを操作している状態を推定するドライバ操舵状態推定器を備えた車両用操舵制御装置に関するものである。
【背景技術】
【０００２】
自動車など車両に搭載される車両用操舵制御装置（以下電動パワーステアリング制御装置とも言う）においては、そのハンドル操作における運転フィーリングを良くし、適切な操舵性能を得るために、現在の操舵状態がどのような状態にあるのかを正確に検出することが必要である。この発明ではこのような機能を備えた装置をドライバ操舵状態推定器という。
従来の車両用操舵制御装置に用いられているドライバ操舵状態推定器としては、ドライバの操舵状態が往き状態（ハンドル切り増し状態）か、戻り状態（ハンドル戻し操作状態）かを求めるために、運転者から受けている操舵操作にともなって車輪に生じる路面反力トルクと、ハンドル軸に生じるステアリング軸反力トルクと、操舵機構がもつ摩擦トルクとから、操舵状態を判定するものが、例えば、特開２００５−１８６８０１号公報（以下、特許文献１と称す。）に開示されている。
【０００３】
また、近年車両用操舵制御装置においては、運転フィーリングだけでなく操縦安定性向上性能が求められている。操縦安定性向上のためには、タイヤに発生している路面反力トルクがどのような状態であるかを正確に検出することが必要である。
しかし、実際に走行中のタイヤに発生する路面反力トルクを検出する検出器は高価なため、ハンドル軸に生じるステアリング軸反力トルクと、ステアリング軸反力トルクの微分値と、操舵機構がもつ摩擦トルクとから、車両用操舵制御装置にて路面反力トルクを推定する手法が、例えば、特開２００５−１１２０４４号公報（以下、特許文献２と称す。）に開示されている。
【０００４】
【特許文献１】特開２００５−１８６８０１号公報
【特許文献２】特開２００５−１１２０４４号公報
【発明の開示】
【発明が解決しようとする課題】
【０００５】
しかしながら、特許文献１に開示された従来の技術では、往き状態と戻り状態の判定しか行わないため、ハンドルを切り返す瞬間は往き状態と戻し状態が正確に判定できないという課題があった。
また、特許文献２に開示された従来の技術では、ステアリング軸反力トルクの微分値を用いているため、ハンドルを切り返す瞬間に摩擦トルクの方向も変わるため正しいステアリング軸反力トルクの微分値を得ることができず、結果的に正確な路面反力トルク推定値を得ることができないという課題があった。
【０００６】
この発明は上記従来の問題点を解消するためになされたもので、往き状態と戻り状態に加えて、ハンドル切り返し状態を推定検出することで、ドライバ操舵状態推定を細分化することにより、運転フィーリングを向上させ、適切な操舵性能を得ることのできる、車両用操舵制御装置を得ることを目的とする。
【０００７】
またこの発明は、ハンドル切り返し状態を推定検出することで、正しいステアリング軸反力トルクの微分値を用い、正確な路面反力トルク推定値を得ることのできる車両用操舵制御装置を得ることを目的とする。
【課題を解決するための手段】
【０００８】
（１）この発明に係わる車両用操舵制御装置は、運転者により操舵されるハンドルと、
このハンドルに連結されたステアリング軸と、このステアリング軸に結合され運転者による操舵トルクを補助するアシストトルクを発生するアシストモータを有する操舵機構を備えた車両用操舵制御装置であって、操舵機構が車両の運転者から受けている操舵操作にと
もなってハンドル軸に生じるステアリング軸反力トルクを検出するステアリング軸反力トルク検出器、および前記操舵操作がハンドル切り返し状態であることを推定する第１の操舵状態検出手段を備え、前記第１の操舵状態検出手段は、あらかじめ定めた所定の値を前記操舵機構が持つ摩擦トルクに応じた値としてあらかじめ記憶する摩擦トルク信号器と、前記ステアリング軸反力トルクと前記路面反力トルクの差の絶対値を、前記摩擦トルクに応じた値と比較する第１の操舵状態演算手段を具備し、前記第１の操舵状態演算手段の出力に基づいて操舵操作がハンドル切り返し状態であることを推定するようにしたものである。
【０００９】
（２）また、この発明に係わる車両用操舵制御装置は、運転者により操舵されるハンドルと、このハンドルに連結されたステアリング軸と、このステアリング軸に結合され運転者による操舵トルクを補助するアシストトルクを発生するアシストモータを有する操舵機構を備えた車両用操舵制御装置であって、
路面反力トルクに基づいて前記ステアリング軸に作用するステアリング軸反力トルクに応じたステアリング軸反力トルク信号を発生する信号出力手段と、
前記路面反力トルクの推定値を演算する路面反力トルク演算手段と、
あらかじめ定めた所定の値を前記操舵機構が持つ摩擦トルクに応じた値としてあらかじ
め記憶する摩擦トルク信号器、及び前記ステアリング軸反力トルクと前記路面反力トルク
演算手段の演算値との差の絶対値を、前記摩擦トルクに応じた値と比較する第１の操舵状
態演算手段を有し、該第１の操舵状態演算手段の出力に基づいて操舵操作がハンドル切り
返し状態であることを推定する第１の操舵状態検出手段とを備え、
前記路面反力トルク演算手段は、前記信号出力手段の出力の微分値を演算する微分演算器と、前記操舵機構の摩擦トルクに相当する摩擦トルク信号を出力する摩擦トルク信号器と、前記信号出力手段からのステアリング軸反力トルク信号をフィルタして路面反力トルクの推定値として出力するローパスフィルタ手段と、このローパスフィルタ手段の時定数を演算する時定数演算手段とを有し、前記時定数演算手段が、前記微分演算器の微分出力と、前記摩擦トルク信号器の摩擦トルク信号と、前記第１の操舵状態検出手段の出力とに基づき、前記時定数を演算するようにしたものである。
【００１０】
（３）また、この発明に係わる車両用操舵制御装置は、運転者により操舵されるハンドルと、このハンドルに連結されたステアリング軸と、このステアリング軸に結合され運転者による操舵トルクを補助するアシストトルクを発生するアシストモータを有する操舵機構を備えた車両用操舵制御装置であって、
操舵機構が車両の運転者から受けている操舵操作にともなってステアリング軸に生じるス
テアリング軸反力トルクを検出するステアリング軸反力トルク検出器、および前記操舵操
作がハンドル切り返し状態であることを推定する第２の操舵状態検出手段を備え、前記第
２の操舵状態検出手段は、前記ステリング軸反力トルク検出器の出力の微分値を演算する
微分演算器と、あらかじめ定めた所定の値を前記微分演算器の上限値としてあらかじめ記
憶する微分閾値信号器、および前記微分演算器の出力の絶対値と前記微分閾値信号器の出
力とを比較する第２の操舵状態演算手段を具備し、前記第２の操舵状態演算手段の出力に
基づいて操舵操作がハンドル切り返し状態であることを推定するようにしたものである。
【００１１】
（４）また、この発明に係わる車両用操舵制御装置は、運転者により操舵されるハンドルと、このハンドルに連結されたステアリング軸と、このステアリング軸に結合され運転者による操舵トルクを補助するアシストトルクを発生するアシストモータを有する操舵機構を備えた車両用操舵制御装置であって、
路面反力トルクに基づいて前記ステアリング軸に作用するステアリング軸反力トルクに応じたステアリング軸反力トルク信号を発生する信号出力手段と、
前記路面反力トルクの推定値を演算する路面反力トルク演算手段と、
前記信号出力手段の出力の微分値を演算する微分演算器と、あらかじめ定めた所定の値
を前記微分演算器の上限値としてあらかじめ記憶する微分閾値信号器、および前記微分演
算器の出力の絶対値と前記微分閾値信号器の出力とを比較する第２の操舵状態演算手段を
有し、該第２の操舵状態演算手段の出力に基づいて操舵操作がハンドル切り返し状態であ
ることを推定する第２の操舵状態検出手段とを備え、
前記路面反力トルク演算手段は、前記信号出力手段の出力信号の微分値を演算する微分演算器と、前記操舵機構の摩擦トルクに相当する摩擦トルク信号を出力する摩擦トルク信号器と、前記信号出力手段からのステアリング軸反力トルク信号をフィルタして路面反力トルクの推定値として出力するローパスフィルタ手段と、このローパスフィルタ手段の時定数を演算する時定数演算手段とを有し、前記時定数演算手段が、前記微分演算器の微分出力と、前記摩擦トルク信号器の摩擦トルク信号と、前記第２の操舵状態検出手段の出力とに基づき、前記時定数を演算するようにしたものである。
【発明の効果】
【００１２】
この発明の車両用操舵制御装置によれば、往き状態と戻り状態に加えて、ハンドル切り返し状態を推定することが可能となるので、ドライバ操舵状態の推定を、切り込み状態、切り返し状態、切戻し状態と細分化でき、運転フィーリングを向上させ適切な操舵性能を得ることが可能となる。
【００１３】
またこの発明の車両用操舵制御装置によれば、ハンドル切り返し状態を推定することで、ステアリング軸反力トルクの微分値を用いて正確な路面反力トルク推定値を得ることが可能となる。
【発明を実施するための最良の形態】
【００１４】
実施の形態１．
以下、この発明による車両用操舵制御装置の実施の形態１について、図１〜図７を参照して説明する。なお、各図中、同一符号は同一あるいは相当部分を示すものとする。
図１は、この発明の実施の形態１による車両用操舵制御装置を車両に設置したときの概略全体構成図を示す。
図１において、車両用操舵制御装置は、車両のステアリング機構（操舵機構とも言う）１０に取り付けられる。ステアリング機構１０は、ハンドル１と、ステアリング軸２と、ステアリングギアボックス３と、ラックとピニオン機構６、タイヤ７を含んでいる。
車両用操舵制御装置は、ステアリング軸２に取り付けたトルクセンサ４、ステアリング軸２に取り付けたアシストモータ５（以下単にモータともいう）、アシストモータ５を制御する制御ユニット８とこれらを接続するケーブルを含む。
当然、電源装置も含むが自明なのでここでは説明を省略する。
【００１５】
ハンドル１は運転者が操舵する自動車のステアリングハンドルであり、ステアリング軸２の上端に連結されている。ハンドル１には運転者による操舵トルクThdlが加えられ、この操舵トルクThdlはステアリング軸２に伝達される。
トルクセンサ４はステアリング軸２に結合され、操舵トルクThdlに応じた操舵トルク検出信号Thdl(s)を発生する。アシストモータ５は電動モータであり、これもステアリング軸に図示しない減速ギアを介して結合され、操舵トルクThdlをアシストするアシストトルクTassistをステアリング軸２に与える。
ステアリングギアボックス３は、ステアリング軸２の下端に設けられている。
ステアリング軸２に与えられる操舵トルクThdlと、アシストトルクTassistとを加え合わせた合成トルクが、ステアリングギアボックス３を通じて数倍にされ、ラックとピニオン機構６を通じて、タイヤ７を操作する。
【００１６】
まず、実施の形態１の車両用操舵制御装置の全体的な動作について説明する。
図１の車両用操舵制御装置は、ステアリング機構１０に電気的に組み合わせたＥＰＳ(Electric Power Steering)用制御ユニット８を有する。
この制御ユニット８には、トルクセンサ４からの操舵トルク検出信号Thdl(s)と、アシストモータ５からのモータ駆動電流検出信号Imtr(s)と、モータ駆動電圧検出信号Vmtr(s)とが入力される。この制御ユニット８は、アシストモータ５に対して、制御信号Imtr(t)を供給する。この制御信号Imtr(t)は、アシストモータ５に対する駆動目標電流である。
図１において、符号Talignはタイヤ７に与えられる路面反力トルクであり、Ttranはこの路面反力トルクTalignに基づき、ステアリング軸２に作用するステアリング軸反力トルクである。ステアリング軸反力トルクTtranは、ステアリング軸２に換算された路面反力トルクである。Tfrpは、アシストモータ５の摩擦トルクTmfricを除いたステアリング軸機構１０の摩擦トルクである。
【００１７】
図1に示す車両用操舵制御装置は、運転者がハンドル１を切った時の操舵トルクThdlをトルクセンサ４で操舵トルク検出信号Thdl(s)として検出し、その操舵トルク検出信号Thdl(s)に応じて、操舵トルクThdlを補助するアシストトルクTassistを発生させることを主な機能とする。
制御ユニット８は、アシストモータ５の駆動電流Imtrを検出した検出信号Imtr(s)と、アシストモータ５の駆動電圧Vmtrを検出した検出信号Vmtr(s)と、操舵トルク検出信号Thdl(s)とに基づき、アシストトルクTassistを発生するための制御信号Imtr(t)を演算し、この制御信号Imtr(t)をアシストモータ５に供給する。
【００１８】
力学的には、操舵トルクThdlとアシストトルクTassistの和が、ステアリング軸反力トルクTtranに抗してステアリング軸２を回転させる。
また、ハンドル１を回転させるときには、アシストモータ５の慣性項も作用するので、ステアリング軸反力トルクTtranは次式(１)で与えられる。
【００１９】
Ttran =Thdl + Tassist - J・dω/dt                             (１)
ただし、アシストモータ５の慣性トルクをJ・dω/dtとする。
【００２０】
また、アシストモータ５によるアシストトルクTassistは、次式(２)で与えられる。
Tassist= Ggear・Kt・Imtr                                     （２)
ただし、Ggearはアシストモータ５とステアリング軸２との間の減速ギアの減速ギア比である。Ktはアシストモータ５のトルク定数である。
【００２１】
また、ステアリング軸反力トルクTtranは、路面反力トルクTalignとステアリング機構１０内の前摩擦トルクTfricとの和であり、次式(３)で与えられる。
Ttran   = Talign + Tfric
=Talign + (Ggear・Tmfric + Tfrp)                 (３)
ただし、Tmfricはアシストモータ５における摩擦トルク、Tfrpはこのアシストモータ５における摩擦トルクTmfricを除く、ステアリング機構１０の摩擦トルクである、
Tmfric・Gger ＋Tfrp = Tfricである。
【００２２】
車両用操舵制御装置の制御ユニット８は、アシストモータ５の駆動電流Imtrに対する目標値を演算して制御信号Imtr(t)を発生する。この制御信号Imtr(t)に対して、アシストモータ５の実際の駆動電流Imtrが一致するように電流制御がなされて、アシストモータ５は駆動電流値にトルク定数とギア比（アシストモータ５ステアリング軸２間）を乗じた所定のトルクを発生し、運転者が操舵するときの操舵トルクThdlをアシストする。
【００２３】
図２は、図１の制御ユニット８の回路と、アシストモータ５の制御回路(図１では図示省略していたがアシストモータに内蔵されている)とを示すブロック図である。
制御ユニット８は、車速検出器１１と、操舵トルク検出器１２と、路面反力トルク検出器１３と、ステアリング軸反力トルク検出器１４と、モータ速度検出器１５と、モータ加速度検出器１６と、第１の操舵状態検出手段である第１のドライバ操舵状態比較器１７、とアシストトルク決定ブロック１８と、モータ電流決定器１９とを含んでいる。
【００２４】
車速検出器１１は、車速Vを受けて車速信号V(s)を出力する。
操舵トルク検出器１２は、トルクセンサ４を含み、操舵トルクThdlを受けて操舵トルク検出信号Thdl(s)を出力する。
路面反力トルク検出器１３は、路面反力トルクTalignを受けて路面反力トルク信号Talign(s)を出力する。
ステアリング軸反力トルク検出器１４は、ステアリング軸反力トルクTtranを受けてステアリング軸反力トルク信号Ttran(s)を出力する。
モータ速度検出器１５は、アシストモータ５の回転速度を受けてモータ速度信号Smtr(s)を出力する。モータ加速度検出器１６はモータ速度信号Smtr(s)を微分してモータ加速度信号Amtr(s)を出力する。
【００２５】
路面反力トルク検出器１３の検出手段は、例えばタイヤ７に設けられるロードセルなどの検出手段であり、路面反力トルクTalignを受けてそれに比例する路面反力トルク信号Talign(s)を出力する。ステアリング軸反力トルク検出器１４の検出手段は、例えばステアリング軸２に設けられたロードセルなどの検出手段であり、ステアリング軸反力トルクTtranをうけてそれに比例するステアリング軸反力トルク信号Ttran(s)を出力する。
【００２６】
第１のドライバ操舵状態比較器１７は、路面反力トルク信号Talign(s)とステアリング軸反力トルク信号Ttran(s)を受けてドライバ操舵状態推定値Sdrv(s)を出力する（詳細は後述する）。
アシストトルク決定ブロック１８は、車速信号V(s)と、操舵トルク信号Thdl(s)と、路面反力トルク信号Talign(s)と、モータ速度信号Smtr(s)と、モータ加速度信号Amtr(s)と、ドライバ操舵状態推定値Sdrv(s)とを受けて、アシストモータ５が発生するアシストトルクTassistに対応するアシストトルク信号Tassist(s)を発生する。
モータ電流決定器１９は、アシストトルク信号Tassist(s)を受けて、アシストトルクTassistを発生させるためのモータ駆動電流に対する電流目標値Imtr(t)を出力する。
【００２７】
アシストモータ５の制御回路は、アシストモータ５に内臓されており、比較器（減算器または加算器とも言う）２１と、モータ駆動器２２と、モータ電流検出器２３を含んでいる。モータ電流検出器２３は、アシストモータ５の回転子２０へ実際の駆動電流Imtrに相当するモータ駆動電流信号Imtr(s)を出力する。比較器２１は、電流目標値Imtr(t)と、モータ駆動電流信号Imtr(s)を比較してその差をモータ駆動器２２に入力する。
モータ駆動器２２は、電流目標値Imtr(t)と、駆動電流信号Imtr(s)との差を０とするように、回転子２０を駆動する。
【００２８】
次に、第１の操舵状態検出手段である第１のドライバ操舵状態比較器１７の動作について説明する前に、その動作の基本となる路面反力トルクとステアリング軸反力トルクとの特性を図３に基づいて説明する。
操舵はさまざまなパターンで実施されるが、ステアリング機構１０の摩擦Tfricトルクはドライバの操舵方向によりその摩擦の向きも決定し、切り込み時には加算され、戻し時には減算される。すなわち、路面反力トルクTalignにステアリング機構１０の摩擦トルクTfric相当のヒステリシス特性を含むものがステアリング軸反力トルクTtranに相当する。
（図３（ａ）参照。）
しかし、現実には図３（ｂ）に示されるとおり、センサの特性などによりステアリング機構１０の摩擦Tfricトルクはドライバの操舵方向に応じて瞬時に変化することはなく、ある程度の勾配をもって変化する。
つまるところ、第１のドライバの操舵状態比較器１７の機能は、図３における丸で囲んだ個所、すなわち、ハンドルの切り返し状態を推定することである。
【００２９】
図４は、第１の操舵状態検出手段である第１のドライバ操舵状態比較器１７の詳細を示すブロック図である。
第１のドライバ操舵状態比較器１７は、ステアリング軸機構１０の摩擦トルクTfricに相当する摩擦トルク信号Tfric(s)を出力する摩擦トルク信号器２４と、ステアリング軸反力トルク信号Tran(s)と路面反力トルク信号Talign(s)の差分を演算する比較器２５、比較器２５の出力の絶対値Sdrv1(s)を出力する絶対値演算器２６と、以下に説明する第１の操舵状態推定演算器（第１の操舵状態演算手段ともいう）２７を有する。
【００３０】
第１の操舵状態推定演算器２７は、ステアリング軸機構の摩擦トルクTfricに相当する摩擦トルク信号Tfric(s)を発生する（実際にはあらかじめ定めた一定値を摩擦トルクとして記憶させておく）摩擦トルク信号器２４の出力と、ステアリング軸反力トルク信号Ttran(s)と路面反力トルク信号Talign(s)の差分の絶対値を出力する絶対値演算器２６の出力を受け、ドライバ操舵状態の判定を行い、第１のドライバ操舵状態判定信号Sdrv(s)を出力する。例えば、第１の操舵状態推定演算器２７は、Tfric(s)大きさとSdrv1(s)の大きさの比較を行い、Sdrv1(s)の大きさがTfric(s)の大きさの80％以下である場合にSdrv(s)＝１、その他をSdrv(s)=０とする。
【００３１】
次に、図４の第１のドライバ操舵状態比較器１７がドライバ操舵状態を推定する動作を図５のフローチャートに基づいて説明する。
図５は、スタートとエンドの間に、ステップＳ１０１からＳ１０４を含んでいる。
まずステップＳ１０１では、ステアリング軸反力トルクTtran(s)と路面反力トルクTalign(s)の差分の絶対値Sdrv1(s)を演算し、制御ユニット８を構成するマイクロコンピューターのメモリ（図示しない）に読み込む。
次のステップＳ１０２では、ステアリング機構１０の摩擦トルクTfricに相当する摩擦トルク信号器２４の出力Tfric(s)と、ステップＳ１０１で記憶したSdrv1(s)の大きさを比較して、Sdrv1(s)の大きさがTfric(s)の80％以下であるかどうか判定する。
次のステップＳ１０３とＳ１０４は、第１の操舵状態推定演算器２７の動作を示す。
ステップＳ１０３では、ステップＳ１０２の結果がＮＯであった場合に、第１の操舵状態推定演算器２７は、第１のドライバ操舵状態判定信号Sdrv (s)を切り返し状態にないと判定する信号出力を行う。
ステップＳ１０４では、ステップＳ１０２の結果がＹＥＳであった場合に、第１の操舵状態推定演算器２７は、第１のドライバ操舵状態判定信号Sdrv (s)を切り返し状態にあると判定する信号出力を行う。
このようにして、本実施の形態１の第１のドライバ操舵状態比較器１７は、ドライバの操舵状態が切り返し状態であることを推定することが可能となる。
【００３２】
図６は、図２のアシストトルク決定ブロック１８の詳細を示すブロック図であり、第１のドライバ操舵状態判定信号Sdrv(s)を用いた本実施の形態１の効果を示すブロック図でもある。
アシストマップ補償器３０は、車速検出器１１の出力V(s)と、操舵トルク検出器１２の出力Thdl(s)を受けて、アシストマップ補償トルクmap(s)を出力する。
ダンピング補償器３１は、車速検出器１１の出力V(s)と、モータ速度検出器１５の出力Smtr(s)を受けて、ダンピング補償量トルクdamp(s)を出力する。
慣性補償器３２は、車速検出器１１の出力V(s)と、モータ角速度検出器１６の出力Amtr(s)を受けて、慣性補償トルクiner(s)を出力する。
戻し補償器３３は、車速検出器１１の出力V(s)と、第１のドライバ操舵状態判定信号Sdrv(s)と、路面反力トルク検出器１３の出力Talign(s)とを受けて、戻し補償トルクret(s)を出力する（このときの演算内容については後述する）。
また、加算器３４は、アシストマップ補償器３０の出力map(s)と、ダンピング補償器３１の出力damp(s)と、慣性補償器３２の出力iner(s)と、戻し補償器３３の出力ret(s)を受けて、アシストトルクTassist(s)を出力する。
【００３３】
ここで、図６はアシストトルク決定ブロック１８の代表的な構成例として記述したが、図６に示す補償要素以外にも、摩擦補償をはじめ公知の補償要素を加えてもよい。
他の補償要素を加える場合にも、加算器３４で加算される状態量が増えるのみで構成は変化しないので同様である。
【００３４】
図６において、第１のドライバ操舵状態判定信号Sdrv(s)を戻し補償器３３に適用している。ここで、その効果について、ハンドル角、操舵トルクのリサージュ波形を示す図７を用いて説明する。
戻し補償器３３は、ドライバのハンドル切り戻しをアシストする補償器である。
図７に示すように、切り込み・戻し判定のみで戻し補償を行った場合には、ハンドルを切り返す際に滑らかに繋がらず、ドライバに対して操舵違和感がある。
これに対して、第１のドライバ操舵状態比較器１７の出力Sdrv(s)がハンドルを切り返し状態にあると推定したときには、戻し補償器３３の出力を大きくする。
このように、ハンドルの切り返し状態が推定可能になることにより、ドライバ操舵状態推定を細分化でき、運転フィーリングを向上させ適切な操舵性能を得ることが可能となる。
【００３５】
ここで、上述の実施の形態１においては、ステアリング軸反力トルクは、ステアリング軸コラムにロードセルなどの検出器を取り付けることでその状態量を測定し実現可能と記載したが、必ずしもこのような検出器を用いなくても、たとえば車両用操舵制御装置の制御ユニット８は、電流検出器、操舵トルク検出器を備えることが多く、更にモータ角速度検出器を有する場合には、制御ユニット８を構成するマイクロコンピューターにて(１)式よりステアリング軸反力トルクを演算することも可能である。
【００３６】
また、実施の形態１においては、第１のドライバ操舵状態比較器１７の出力Sdrv(s)を、戻し補償器３３に適用したアシストトルクの変更構成を示したが、戻し補償器３３以外の補償器に関しても第１のドライバ操舵状態比較器１７の出力Sdrv(s)を適用することにより、アシストトルクの変更ができる。
【００３７】
また、実施の形態１においては、第１のドライバ操舵状態比較器１７の構成を図４のように示したが、ステアリング軸反力トルクや路面反力トルクが電気ノイズなどの影響で振動的な場合は、ローパスフィルタなど公知の特定周波数除去手段を用いた構成としてもよい。これにより、実施の形態１の車両用操舵制御装置の外乱特性が向上する効果がある。
【００３８】
さらに、実施の形態１においては、第１のドライバ操舵状態比較器１７の構成を図４のように示したが、一般的にステアリング軸機構の摩擦トルクは一定値であるが、車速が上がってくるとタイヤ回転によるディザトルク効果で、路面反力トルクに対するステアリング軸反力トルクのヒステリシス幅が小さくなって、見かけ上、ステアリング機構の摩擦トルクが減少してみえる。そこで、図４における摩擦トルク信号器２４の出力は車速に応じて変化する構成としてもよい。これにより、本実施の形態１において、あらゆる車速域において高精度なドライバ操舵状態判定が可能となる。
【００３９】
さらにまた、実施の形態１においては、ステアリング軸反力トルクTtran(s)と路面反力トルクTalign(s)の差分の絶対値Sdrv1(s)が、摩擦トルク信号器２４の出力Tfric(s)の大きさの８０％以下で切り返し状態と判定するとしたが、例えば、９０％で切り返し始め、５０％で切り返し、再び９０％で切り返し終わり、などと、同じ切り返し状態でもさまざまな状態量を出力するようにしてもよい。また８０％という数字は車両に応じて変わる値なので、実際には０〜１００％の間で設定する。これにより、よりドライバ操舵状態推定を細分化でき、運転フィーリングを向上させ適切な操舵性能を得ることが可能となる。
【００４０】
実施の形態２．
この発明の実施の形態２による車両用操舵制御装置について、図８〜図１０を参照して説明する。なお、図中、実施の形態１との同一符号は、同一あるいは相当部分を示すものとする。
図８は、実施の形態２の車両用操舵制御装置における制御ユニット８の構成の一部を示したものである。全体の構成は実施の形態１と同様であるため省略する。
この実施の形態２の車両用操舵制御装置は、正確な路面反力トルク推定値Talign_e(s)を得ようとするものである。
図８において、制御ユニット８は、ステアリング軸反力トルク検出器１４と、第1のドライバ操舵状態比較器（第１の操舵状態検出手段ともいう）１７と、路面反力トルク推定器８０とを含む。
さらに、路面反力トルク推定器８０は、微分演算器８１と、ステアリング機構１０の摩擦トルクTfricに相当する摩擦トルク信号Tfric(s)を出力する摩擦トルク信号器８２と、ローパスフィルタの時定数τを演算する時定数演算器８３と、ローパスフィルタ（以下LPFとも言う）８４とを含んでいる。
【００４１】
ステアリング軸反力トルク検出器１４の検出手段は、実施の形態１で示したとおり、ステアリング軸２に設けられたロードセルの他に、たとえば車両用操舵制御装置の制御ユニット８は電流検出器、操舵トルク検出器を備えることが多く、更にモータ角速度検出器を有する場合には、制御ユニット８を構成するマイクロコンピューターにて(１)式よりステアリング軸反力トルクを演算することも可能である。
【００４２】
第1のドライバ操舵状態比較器（第１の操舵状態検出手段）１７は、実施の形態１においては、ステアリング軸反力トルク信号Ttran(s)及び路面反力トルク信号Talign(s)から第１のドライバ操舵状態比較器の出力信号であるSdrv(s)を得たが、実施の形態２では、路面反力トルク信号Talign(s)の変わりに、路面反力トルク推定器８０の出力信号Talign_e(s)を用いることで実現可能となる。
具体的には初期値０として演算周期が１サンプル後のTalign_e(s)を用いることになるが、制御ユニット８のマイクロコンピュータの演算周期は十分に早いため影響はない。
【００４３】
微分演算器８１は、ステアリング軸反力トルク信号Ttran(s)を受けて、その微分出力dTtran(s)を出力する。
摩擦トルク信号器８２は、ステアリング機構の摩擦トルクTfricに相当するTfric(s)を発生する（実際にはあらかじめ定めた一定値を摩擦トルクとして記憶させておく）。
時定数演算器８３は、第１のドライバ操舵状態比較器１７の出力信号であるSdrv(s)と、微分演算器８１の出力信号であるｄTtran(s)と、摩擦トルク信号器８２の出力信号であるTfric(s)とを受け、ローパスフィルタ８４に対する時定数τを下記の式（４）に基づいて演算する。
ローパスフィルタ８４は、その時定数τが時定数演算器８３によって決定されるものであり、ステアリング軸反力トルク信号Ttran(s)をフィルタして、路面反力トルク推定値Talign_e(s)を出力する。
【００４４】
τ  = (Ggear・Tmfric + Tfrp) / (dTtran / dt)    切り返し状態以外
=  (上限値に設定、例えば１００）            切り返し状態       (４)
だたし、dTtran/ dtはステアリング軸反力トルクTtran(s)の微分値である。
τに関する詳細な説明は特許文献２に記載があるためここでは省略する。
【００４５】
図９は、従来技術に対する実施の形態２の効果およびその動作結果を示している。
特許文献２の従来技術では、ハンドル切り返しを考慮していないために、ハンドル切り返し時にステアリング軸反力トルクTtran(s)の微分値であるdTran(s)が大きな値となり、正しい時定数τが演算されず、結果として正確な路面反力トルク推定値Talign_e(s)が得られないという課題があった。
実施の形態２の車両用操舵制御装置によれば、ハンドル切り返し状態時にτの時定数を大きくとることにより、正確な路面反力トルク推定値を得ことができるものである。
【００４６】
次に、図８の路面反力トルク推定値Talign_e(s)を得る動作を図１０のフローチャートに基づいて説明する。図１０はスタートとエンドの間に、ステップＳ２０１からＳ２０８を含んでいる。
まずステップＳ２０１では、ステアリング軸反力トルク信号Ttran(s)を、制御ユニット８を構成するマイクロコンピューターのメモリ（図示しない）に読み込む。
次のステップＳ２０２では、第1の操舵状態比較器の出力信号Sdrv(s)を、制御ユニット８を構成するマイクロコンピューターのメモリ（図示しない）に読み込む。
次のステップＳ２０３では、微分演算器８１により、ステアリング軸反力トルク信号Ttran(s)の微分出力dTtran(s)を演算する。
次のステップＳ２０４では、記憶しておいた第1の操舵状態比較器の出力信号Sdrv(s)に基づき、操舵状態が切り返し状態であるか、切り返し状態でないかを判定する。
【００４７】
次のステップＳ２０５とＳ２０６は、時定数演算器８３の動作を示す。
ステップＳ２０５では、ステップＳ２０４の結果がＹＥＳであった場合に、あらかじめ定められた時定数（例として１００など）を出力する。
ステップＳ２０６では、ステップＳ２０４の結果がＮＯであった場合に、式(４)に基づいて、ステアリング軸反力トルクの微分値、モータを除く主要なステアリング機構内の摩擦トルク、モータの摩擦トルクからローパスフィルタの時定数を演算する。
次のステップＳ２０７では、ローパスフィルタ８４において、時定数演算器８３からの時定数τを用い、ステアリング軸反力トルク信号出力手段１４からのステアリング軸反力トルク信号Ttran(s)をローパスフィルタすることにより、路面反力トルク推定値Talign_e(s)を出力する。
【００４８】
以上のように、この発明の実施の形態２の車両用操舵制御装置によれば、ステアリング軸反力トルク信号Ttran(s)をローパスフィルタ８４によりフィルタすることにより、路面反力トルク推定値Talign_e(s)を得るものにおいて、ローパスフィルタ８４の時定数τを、ステアリング軸反力トルク信号Ttran(s)の微分出力dTtran(s)と、第1の操舵状態比較器１７の出力信号Sdrv(s)に基づいて演算するので、図９のように、ハンドル切り返し時に正確な時定数のローパスフィルタを得ることで正確な路面反力トルク推定値Talign_e(s)を得ることが可能となる。
【００４９】
また、実施の形態２において、路面反力トルク推定器８０の構成を図８のように示したが、実施の形態１にも記載したとおり、一般的にステアリング軸機構の摩擦トルクは一定値であるが、車速が上がってくるとタイヤ回転によるディザトルク効果で、路面反力トルクに対するステアリング軸反力トルクのヒステリシス幅が小さくなって、見かけ上、ステアリング機構の摩擦トルクが減少してみえる。
そこで、図８における摩擦トルク信号発生器８２の出力は車速に応じて変化する構成としてもよい。これにより、本実施の形態２において、あらゆる車速域において高精度な路面反力トルク推定値を得ることが可能となる。
【００５０】
また、実施の形態２において、ローパスフィルタ８４の時定数演算器８３の動作を式（４）及び図１０で示したが、時定数をなめらかにつなぐために切り返し判定時になめらかに時定数を大きくする構成としてもよい。
また、時定数τ=１００という数値は車両に応じて変わる値なので、実際には車両に応じて設定する。これにより、ドライバがハンドルを切り返し状態時においても、より滑らかな路面反力トルク推定値を得ることが可能となる。
【００５１】
実施の形態３．
図１１は、この発明の実施の形態３の車両用操舵制御装置における第２のドライバ操舵状態比較器（第２の操舵状態検出手段ともいう）１００の構成を示したものである。
車両用操舵制御装置全体の構成は実施の形態１と同様であるため説明は省略する。
実施の形態３では、実施の形態１における第1のドライバ操舵状態比較器１７の代わりに、構成を簡素化した第２のドライバ操舵状態比較器１００を備えることを特徴とする。
第２のドライバ操舵状態比較器１００は、微分演算器１０１と、絶対値演算器１０２と、微分閾値信号器１０３と、第２の操舵状態推定演算器（第２の操舵状態演算手段ともいう）１０４、とを含んでいる。
【００５２】
第２の操舵状態推定演算器１０４は、ステアリング軸反力トルク信号Ttran(s)の微分上限値UdTranに相当するUdTtran(s)を発生する（実際にはあらかじめ定めた一定値をステアリング軸反力微分値として記憶させておく）微分閾値信号器１０３の出力と、ステアリング軸反力トルク信号Ttran(s)の微分演算器の出力信号dTtran(s)の絶対値を出力する絶対値演算器１０２の出力Sdrv2(s)を受け、ドライバ操舵状態の判定を行い、第２のドライバ操舵状態判定信号Sdrv (s)を出力する。
例えば、第２の操舵状態推定演算器１０４は、UdTtran(s)の大きさとSdrv2(s)の大きさの比較を行い、Sdrv2(s)がUdTtran(s)より大きい場合にSdrv(s)＝１、その他をSdriv(s)=０とする。
【００５３】
次に、図１１の第２のドライバ操舵状態比較器１００がドライバ操舵状態を推定する動作を、図１２のフローチャートに基づいて説明する。
図１２は、スタートとエンドの間に、ステップＳ３０１からＳ３０４を含んでいる。
まずステップＳ３０１では、ステアリング軸反力トルクTtran(s)の微分値の絶対値Sdrv2(s)を演算し、制御ユニット８を構成するマイクロコンピューターのメモリ（図示しない）に読み込む。
次のステップＳ３０２では、ステアリング軸反力トルク信号Ttran(s)の微分上限値UdTranに相当する微分閾値信号器１０３の出力UdTtran(s)と、ステップＳ３０１で記憶したSdrv2(s)の大きさを比較して、Sdrv2(s)の大きさがUdTtran(s)より大きいか判定する。
次のステップＳ３０３とＳ３０４は、第２の操舵状態推定演算器１０４の動作を示す。
ステップＳ３０３では、ステップＳ３０２の結果がＮＯであった場合に、第２の操舵状態推定演算器１０４は、第２のドライバ操舵状態判定信号Sdrv (s)を切り返し状態にないと判定する信号出力を行う。
ステップＳ３０４では、ステップＳ３０２の結果がＹＥＳであった場合に、第２の操舵状態推定演算器１０４は、第２のドライバ操舵状態判定信号Sdrv (s)を切り返し状態にあると判定する信号出力を行う。
このようにして、実施の形態３の第２のドライバ操舵状態比較器１００は、ドライバの操舵状態が切り返し状態であることを推定することが可能となる。
【００５４】
実施の形態３の効果は、図６における第１のドライバ操舵状態判定信号Sdrv(s)を第２のドライバ操舵状態判定信号Sdrv (s)とすることで全く同等の効果を得ることが可能となる。実施の形態１と同様に、図６に示す補償要素以外にも、摩擦補償をはじめ公知の補償要素を加えてもよい。他の補償要素を加える場合にも加算器３４で加算される状態量が増えるのみで構成は変化しないので同様である。また補償の効果に関しても実施の形態１と全く同等の効果が得られるためここでは省略する。
【００５５】
また、実施の形態３においては、第２のドライバ操舵状態比較器１００の構成を図１１のように示したが、ステアリング軸反力トルクが電気ノイズなどの影響で振動的な場合は、ローパスフィルタなど公知の特定周波数除去手段を用いた構成としてもよい。
これにより、実施の形態３の車両用操舵制御装置の外乱特性が向上する効果がある。
【００５６】
また、実施の形態３において、第２のドライバ操舵状態比較器１００の構成を図１１のように示したが、一般的にステアリング軸反力トルクの微分上限値は一定であるが、これはステアリング軸上にあるトルクセンサ４のねじれによって、図３のような波形が得られるためその特性を利用したものである。ねじれの応答時間が同じであると考えると、ステアリング軸反力トルクの微分上限値はステアリング軸機構の摩擦トルクによって変わってくる。また実施の形態１及び実施の形態２で述べたとおり、車速が上がってくるとタイヤ回転によるディザトルク効果で、路面反力トルクに対するステアリング軸反力トルクのヒステリシス幅が小さくなって、見かけ上、ステアリング機構の摩擦トルクが減少してみえる。
そこで、図１１におけるステアリング軸反力トルク信号Ttran(s)の微分上限値UdTranに相当する微分閾値信号器１０３の出力は、車速に応じて変化する構成としてもよい。
これにより、本実施の形態３において、あらゆる車速域において高精度なドライバ操舵状態判定が可能となる。
【００５７】
さらに、実施の形態３においては、ステアリング軸反力トルクTtran(s)の微分値の絶対値Sdrv2(s)が、微分閾値信号器１０３の出力UdTtran(s)より大きい場合に、切り返し状態と判定するとしたが、例えば、９０％で切り返し始め、１５０％で切り返し、再び９０％で切り返し終わり、などと、同じ切り返し状態でもさまざまな状態量を出力するようにしてもよい。また実施の形態３にて例に用いた数字は車両に応じて変わる値なので、実際には車両に応じて設定する。これにより、よりドライバ操舵状態推定を細分化でき、運転フィーリングを向上させ適切な操舵性能を得ることが可能となる。
また、実施の形態１に対して、簡単な構成でドライバの操舵状態推定が可能となるため、実現する際に簡易である効果がある。
【００５８】
実施の形態４．
図１３は、実施の形態４の車両用操舵制御装置における制御ユニット８の構成の一部を示したものである。なお、図中、図８との同一符号は、同一あるいは相当部分を示すものとし、説明は省略する。
実施の形態４では、図８の実施の形態２における第1のドライバ操舵状態比較器１７に対して、図１１に示される第２のドライバ操舵状態比較器１００を用いることに特徴がある。
【００５９】
実施の形態４による効果は、実施の形態２と類似しており、その構成目的は図９のような精度の高い路面反力トルク推定値を得ることにある。
この実施の形態４の車両用操舵制御装置によれば、実施の形態２に対して、簡易な構成でドライバの操舵状態推定が可能となり、路面反力トルク推定器８０の出力信号Talign_e(s)を用いることなく構成が可能となるため、より信頼性の高い路面反力トルク推定値を得ることが可能となる。
【産業上の利用可能性】
【００６０】
この発明の車両用操舵制御装置は、例えば自動車の電動パワーステアリング制御装置として利用することができる。
【図面の簡単な説明】
【００６１】
【図１】この発明の実施の形態１における代表的な車両用操舵制御装置系の全体構成を示す図である。
【図２】この発明の実施の形態１の全体的な制御回路を示すブロック図である。
【図３】一般的な路面反力トルクとステアリング軸反力の理想系と実際の物理現象の時間応答特性を示す図である。
【図４】この発明の実施の形態１におけるドライバ操舵状態比較器のブロック図である。
【図５】この発明の実施の形態１の動作を示すフローチャート図である。
【図６】この発明の実施の形態１におけるアシストトルク決定ブロックのブロック図である。
【図７】この発明の実施の形態１の効果を示すハンドル角、操舵トルクのリサージュ波形を示す図である。
【図８】この発明の実施の形態２の車両用操舵制御装置における路面反力トルク推定器を示すブロック図である。
【図９】この発明の実施の形態２の効果を示すステアリング軸反力トルク、路面反力トルクの時間波形を示す図である。
【図１０】この発明の実施の形態２の動作を示すフローチャート図である。
【図１１】この発明の実施の形態３の車両用操舵制御装置におけるドライバ操舵状態比較器のブロック図である。
【図１２】この発明の実施の形態３の動作を示すフローチャート図である。
【図１３】この発明の実施の形態４の車両用操舵制御装置における路面反力トルク推定器を示すブロック図である。
【符号の説明】
【００６２】
１：ハンドル、２：ステアリング軸、３：ステアリングギアボックス、
４：トルクセンサ、５：アシストモータ、６：ラックとピニオン軸、７：タイヤ、
８：制御ユニット、１０：ステアリング機構、１１：車速検出器、
１２：操舵トルク、検出器、１３：路面反力トルク検出器、
１４：ステアリング軸反力トルク検出器、１５：モータ速度検出器、
１６：モータ加速度検出器、１７：第1のドライバ操舵状態比較器、
１８：アシストトルク決定ブロック、１９：モータ電流決定器、２０：回転子、
２１：比較器、２２：モータ駆動器、２３：モータ電流検出器、
２４：摩擦トルク信号器、２５：比較器、２６：絶対値演算器、
２７：第１の操舵状態推定演算器、３０：アシストマップ補償器、
３１：ダンピング補償器、３２：慣性補償器、３３：戻し補償器、３４：加算器、
８０：路面反力トルク推定器、８１：微分演算器、８２：摩擦トルク信号器、
８３：時定数演算器、８４：ローパスフィルタ、
１００：第２のドライバ操舵状態比較器、１０１：微分演算器、
１０２：絶対値演算器、１０３：微分閾値信号器、１０４：第２の操舵状態推定演算器。
【図１】
2007161099.tif 000003
【図２】
2007161099.tif 000004
【図３】
2007161099.tif 000005
【図４】
2007161099.tif 000006
【図５】
2007161099.tif 000007
【図６】
2007161099.tif 000008
【図７】
2007161099.tif 000009
【図８】
2007161099.tif 000010
【図９】
2007161099.tif 000011
【図１０】
2007161099.tif 000012
【図１１】
2007161099.tif 000013
【図１２】
2007161099.tif 000014
【図１３】
2007161099.tif 000015